(57)【特許請求の範囲】
【請求項１】
ゴルフ手袋、若しくは、リストバンドは、アンコック遅延開放材を有しており、前記アンコック遅延開放材は、親指の甲側と手の平側との間の側面部に設けられ、親指の付け根付近から手首のコック作用点の中心を通り、手首の任意の部位まで連続して形成されており、且つ、コック状態で縮んだ形状と、アンコック状態で伸びた形状との間で伸縮が可能になるとともに、常には縮んだ形状となる方向に付勢されていることを特徴とするゴルフコックを遅延開放するゴルフ手袋、若しくは、リストバンド。
【発明の詳細な説明】
【技術分野】
【０００１】
最近、密かにゴルフブームが、始まってきているようです。
若者、特に女性が増えてきているようです。
【０００２】
女性ゴルファーは、力ではなく、スイングで距離を稼いでいきます。
その時に、大事な問題は、グリップとコックです。
【０００３】
良いグリップで、有効にコックを使っていけば、ボールは、真っ直ぐに、
いきおい良く飛んでいきます。  
【背景技術】
【０００４】
実開平5-93478号公開が、ゴルフ手袋にマークを付けて、正しいコックをする方法を述べています。
実願平-12722号公開が、右手首のコックの状態を述べています。
【０００５】
特開2002-136631号公開が、手首の甲の折れをなくす、方法を述べています。
【０００６】
特開2004-105544号公開が、手首の甲の折れをなくす、方法を述べています。
特開2007-325695号公開が、手首の甲の折れをなくす、方法を述べています
【先行技術文献】
【特許文献】
【０００７】
【特許文献１】実開平5-93478号公開
【特許文献２】実願平-12722号公開
【特許文献３】特開2002-136631号公開
【特許文献４】特開2004-105544号公開
【特許文献５】特開2007-325695号公開
【発明の概要】
【発明が解決しようとする課題】
【０００８】
ゴルフスイングにおいて、利き腕をスイングトップに持って行く時に、利き腕の手首が、甲側に折れたり、 手の平側に折れたりするのは、そのあとのダウンスイング時に、ゴルフクラブのフェースに複雑な動きを与え、ゴルフボールに余計な回転を掛けてしまい、好ましくない現象が、発生します。その為に甲側に動きにくくしたり、折れにくくする為の特許文献は、数種類有ります。しかし、コックの方向は、親指の表面側に折れ曲がらせる事です。親指側にコックを入れる方法を見つける事を課題とします。
【課題を解決するための手段】
【０００９】
ゴルフスイングにおいて、コックは、1番大事な要素と言えます。甲側に折れたり、手のひら側に折れたりする事は、厳禁です。そして、トップスイングまでの間に親指の表面側に自然にコックします。更に、ダウンスイングの間も、
コックをキープし、ゴルフボールに当たった後にアンコックし、フォロースイングを行います。この動作により、ゴルフボールのつかまりが良くなります。
しかし、現実には、ダウンスイングが始まり、ゴルフボールに当たるまでの間に、コックが緩んで、ダフったり、トップしたりしてつかまりの悪いボールが、
飛んでいきます。コックがアンコックするタイミングを遅らせる、アンコック遅延開放材が必要になります。
【００１０】
ゴルフ手袋、もしくは、リストバンドは、アンコック遅延開放材を有します。アンコック遅延開放材は、伸縮が可能で、前記ゴルフ手袋、もしくは、前記リストバンドに取り付ける事を特徴とします。
【００１１】
アンコック遅延開放材は、コック状態で縮んだ形状、アンコック状態で伸びた形状になる様に使用する事を特徴とします。
ゴルフ手袋、もしくは、リストバンドは、通常は、縮んだ状態ですので、まず
装着すると、親指が表面側に引っ張られ、コック状態を形成します。この状態で、手首に若干力を入れると、手首が、アンコック側に動きます。ここで手首の力を抜くと、コック側に手首が戻ります。
【００１２】
前記アンコック遅延開放材は、親指の表面下部付近から手首のコック作用点の中心を通り、前記手首の任意の地点迄前記ゴルフ手袋、若しくは、リストバンドに装着される事を特徴とします。
【発明の効果】
【００１３】
ゴルフスイングによるトップやダフリがへり、距離と方向性がました良い玉筋のボールが打てるようになり、安定したスコアが出るようになる。
【００１４】
安定したスコアが出るようになり、ゴルフが楽しくなり、ゴルフ人口が増す。  
【図面の簡単な説明】
【００１５】
【図１】ゴルフ手袋  コックがかかってない状態イメージ図
【図２】ゴルフ手袋  コックがかかっている状態イメージ図
【図３】リストバンド  コックがかかってない状態イメージ図
【図４】リストバンド  コックがかかっている状態イメージ図
【符号の説明】
【００１６】
１            手首
２            ゴルフ手袋
３            コックの状態  
４            アンコック遅延開放材
５            リストバンド
６            コックの状態
７            アンコック遅延開放材        
【発明を実施するための形態】
【００１７】
以下、本発明の実施の形態を図に基づいて説明します。
図１は、ゴルフ手袋２にコック３がかかってない状態のイメージ図です。ゴルフ手袋２を手首１に装着し、ゴルフクラブを握った状態です。図２のコックのかかった状態から手首１に力を加え、コックを伸ばした状態です。アンコック遅延開放材４は、伸びきっています。
【００１８】
図２は、ゴルフ手袋２にコック３がかかっている状態イメージ図です。ゴルフ手袋２を手首１に装着し、ゴルフクラブを握った状態です。既にアンコック遅延開放材４が、縮んでいるために  コック３がかかっている状態です。
【００１９】
図３は、リストバンド５にコック６がかかってない状態のイメージ図です。リストバンド５を装着し、ゴルフクラブを握った状態です。図４のコックのかかった状態から手首１に力を加え、コックを伸ばした状態です。アンコック遅延開放材７は、伸びきっています。
【００２０】
図４は、リストバンドにコックがかかっている状態イメージ図です。リストバンド５を装着し、ゴルフクラブを握った状態です。既にアンコック遅延開放材７が、縮んでいるために  コック６がかかっている状態です。どのタイミングで、遅延開放材４は、縮んだり伸びたりするのか、実際のスイングの動きから考えてみます。
【００２１】
アドレスに入るとゴルフ手袋２のアンコック遅延開放材４が、縮んでいますので、コックが付きすぎていますので、手首１に少し力を入れて、コック３がちょうど良いぐらいまで、伸ばします。クラブを上に上げ始めると、手首の力を抜き、アンコック遅延開放材４が縮み、コック３が、掛かります。トップスイングからダウンスイングに移り、インパクトゾーンでボールに当たるまで、コックの角度は、其の儘でキープされます。インパクト直後にボールを押すようにコックは、解放され、フォロースルーに向かいます。フォローフルーでは、
クラブの重みでアンコック遅延開放材４が伸びきり、コック３が、完全に解放されます。
【要約】 
【課題】
ゴルフスイングによるトップやダフリがへり、距離と方向性がました良い玉筋のボールが打てるようになり、安定したスコアが出るようになる。
【解決手段】  
図１は、ゴルフ手袋２にコック３がかかってない状態のイメージ図です。ゴルフ手袋２を手首１に装着し、ゴルフクラブを握った状態です。図２のコックのかかった状態から手首１に力を加え、コックを伸ばした状態です。アンコック遅延開放材４は、伸びきっています。
図２は、ゴルフ手袋２にコック３がかかっている状態イメージ図です。ゴルフ手袋２を手首１に装着し、ゴルフクラブを握った状態です。既にアンコック遅延開放材４が、縮んでいるために  コック３がかかっている状態です。
【選択図】  図２【図１】
0005392878.tif 000002
【図２】
0005392878.tif 000003
【図３】
0005392878.tif 000004
【図４】
0005392878.tif 000005